(57)【特許請求の範囲】
【請求項１】
外側導体部品（１０）と、前記外側導体部品（１０）の中に配設される内側導体部品（１２）と、相補的高周波プラグコネクタへのプラグイン接続のために構成された係合側端部（１４）とを有し、電気絶縁材料で製作されたハウジング（１６）が、前記高周波プラグコネクタの前記係合側端部（１４）に配設されて前記外側導体部品（１０）を少なくとも部分的に囲繞し、前記外側導体部品（１０）が嵌合する貫通ボア（１８）を前記ハウジング（１６）が有する高周波プラグコネクタにおいて、前記外側導体部品（１０）への前記ハウジングの組付けの際に前記ハウジング（１６）の第１所定区分（２２）を第１軸方向保持要素（２０）が広げるように構成された、前記ハウジング（１６）のための第１軸方向保持要素（２０）を前記外側導体部品（１０）が包含することと、前記外側導体部品（１０）への前記ハウジングの組付けの際に前記ハウジング（１６）の第２所定区分（２４，３０）を第２軸方向保持要素（２６）が圧縮するように構成された、前記ハウジング（１６）のための第２軸方向保持要素（２６）を前記外側導体部品（１０）が有することとを特徴とする、高周波プラグコネクタ。
【請求項２】
前記第１軸方向保持要素（２０）および／または前記第２軸方向保持要素（２４，３０）が、前記ハウジング（１６）の前記貫通ボア（１８）に嵌合する前記外側導体部品（１０）の領域（３６）に設けられることを特徴とする、請求項１に記載の高周波プラグコネクタ。
【請求項３】
前記ハウジング（１６）の前記貫通ボア（１８）に嵌合する前記外側導体部品（１０）の前記領域（３６）に設けられた少なくとも一つの突出部（２０）を前記第１軸方向保持要素が有し、前記突出部が周方向において少なくとも部分的に包囲状であり、前記突出部（２０）の領域における前記外側導体部品（１０）の外径が、前記第１所定区分（２２）の領域における前記ハウジング（１６）の前記貫通ボア（１８）の内径より長いことを特徴とする、請求項１または２に記載の高周波プラグコネクタ。
【請求項４】
前記第２軸方向保持要素が、前記ハウジング（１６）の前記貫通ボア（１８）に嵌合する前記外側導体部品（２０）の領域（３６）に設けられて、前記外側導体部品（１０）の外周面から前記径方向に延在する少なくとも一対のつめ状突出部（２６）を有し、前記一対のつめ状突出部（２６）が前記周方向において相互に対向していることを特徴とする、請求項１乃至３のいずれか一項に記載の高周波プラグコネクタ。
【請求項５】
前記ハウジング（１６）の内面から径方向内向きに突出するとともに前記軸方向に延在する少なくとも一つのウェブ（３０）を前記第２所定区分（２４）が有し、前記軸方向に対して垂直な方向における前記ウェブ（３０）の幅が、前記一対のつめ状突出部（２６）の離間距離（２８）より長いことを特徴とする、請求項４に記載の高周波プラグコネクタ。
【請求項６】
２個、３個、または４個以上のウェブ（３０）が設けられて、前記周方向において相互に離間していることを特徴とする、請求項５に記載の高周波プラグコネクタ。
【請求項７】
前記ウェブ（３０）が前記周方向において相互に等しく離間していることを特徴とする、請求項６に記載の高周波プラグコネクタ。
【請求項８】
二対以上のつめ状突出部（２６）が設けられて、前記周方向において相互に離間していることを特徴とする、請求項４乃至７のいずれか一項に記載の高周波プラグコネクタ。
【請求項９】
前記つめ状突出部（２６）の対が前記周方向において相互に等しく離間していることを特徴とする、請求項８に記載の高周波プラグコネクタ。
【請求項１０】
前記高周波プラグコネクタが高周波同軸プラグコネクタとして構成され、前記外側導体部品（１０）と前記内側導体部品（１２）とが相互に同軸に配設されることを特徴とする、請求項１乃至９のいずれか一項に記載の高周波プラグコネクタ。
【請求項１１】
５０‐Ω‐ＨＦＳＳｔについてのＦＡＫＲＡ標準化方式に適合する機械的寸法を前記インタフェース領域に有するように前記ハウジング（１６）が構成されることを特徴とする、請求項１乃至１０のいずれか一項に記載の高周波プラグコネクタ。
【請求項１２】
前記第１軸方向保持要素（２０）および／または前記第２軸方向保持要素（２６）が前記外側導体部品（１０）と一体的に構成されることを特徴とする、請求項１乃至１１のいずれか一項に記載の高周波プラグコネクタ。
【請求項１３】
前記外側導体部品（１０）が亜鉛ダイカストコンポーネントとして構成されることを特徴とする、請求項１乃至１２のいずれか一項に記載の高周波プラグコネクタ。
【請求項１４】
前記ハウジング（１６）がプラスチックハウジングであることを特徴とする、請求項１乃至１３のいずれか一項に記載の高周波プラグコネクタ。
【発明の詳細な説明】
【技術分野】
【０００１】
本発明は、外側導体部品と、外側導体部品の中に配設される内側導体部品と、相補的高周波プラグコネクタへのプラグイン接続のために構成された係合側端部とを有し、電気絶縁材料で製作されたハウジングが高周波プラグコネクタの係合側端部に配設されて外側導体部品を少なくとも部分的に囲繞し、外側導体部品が嵌合する貫通ボアをハウジングが有する、請求項１の前文に記載の高周波プラグコネクタに関連する。
【背景技術】
【０００２】
米国公開特許公報第２００３／０１７６１０４Ａ１号は、プラスチックハウジングを有して、ＳＭＢコネクタ用のＦＡＫＲＡ標準化方式（ＦＡＫＲＡ＝Ｆａｃｈｋｒｅｉｓ  Ａｕｔｏｍｏｂｉｌｔｅｃｈｎｉｋ（自動車専門家団体））に適合する同軸プラグコネクタを開示している。プラスチックハウジングが設けられ、これはプラグインコネクタを保持および保護するとともに、プラスチックハウジングを備える別のプラグインコネクタへのプラグ接続のためにコネクタを位置決めする。適合ハウジングのみが相互にプラグ接続されるように、ハウジングは機械的コーディングも有する。
【０００３】
データ伝送ケーブル用の自動車技術の分野では、ＦＡＫＲＡハウジングとしても知られる同軸プラグインコネクタ用のこのタイプのプラスチックハウジングが使用される。これらのデータ伝送ケーブルは通常、導電体をベースとする同軸ケーブルまたは類似のケーブルである。インタフェース領域、つまり二つのプラスチックハウジングの間に機械的接続を形成するため相補的プラグと相互作用を行うハウジングの軸方向区分における、このようなＦＡＫＲＡハウジングの機械的寸法は、２００４年１０月版のＤＩＮ規格７２５９４‐１号に規定されている。このＤＩＮ規格７２５９４‐１号の「路上走行車−５０オーム高周波インタフェース（５０‐Ω‐ＨＦＳＳｔ）−第１部：寸法および電気的要件」という名称の部分は、路上走行車における高周波用途のため５０オームのインピーダンスを備えるインタフェース（５０‐Ω‐ＨＦＳＳｔ）のプラグおよびカプラーについて規定することで、車両との通信を保証している。寸法と電気的要件および性質とを規定して、その互換性を保証している。有名な自動車メーカーはすべて、この規格を生産に適用している。規格の内容は、Ｎｏｒｍｅｎａｕｓｃｈｕｓｓ  Ｋｒａｆｔｆａｈｒｚｅｕｇｅ（ＦＡＫＲＡ）によって定められている。
【０００４】
ＤＩＮ（ドイツ工業規格）内の自動車専門家団体（ＦＡＫＲＡ）は、自動車の分野での地域、国内、国際的な標準化関係団体を代表するものである。ＦＡＫＲＡの責務は、ＤＩＮ規格７００１０号による路上走行車（農業用トラクタは除く）について、これら路上走行車が内燃エンジン、電動モータ、ハイブリッドドライブを備えているかどうかに関係なく、その適合性、互換性、そして安全性に関するすべての規格の作成にまで及ぶ。ＦＡＫＲＡはまた、これらの路上走行車（地方自治体車両、消防車、および救急車を除く）の車体の規格も作成している。上述した車両および車体の装備全体の標準化について、また貨物用コンテナ（ＩＳＯコンテナ）の標準化についても責任を負っている。標準化は、車両製造分野での合理性および品質保証に加えて、車両の環境適合性も促進する。同団体はまた、最新技術および最新情報に従って、製造者と利用者のために車両および交通の安全性の向上にも貢献している。
【発明の概要】
【発明が解決しようとする課題】
【０００５】
上述したタイプの高周波プラグコネクタを組立および機能的信頼性に関して改良することが、本発明の目的である。
【課題を解決するための手段】
【０００６】
この目標は、請求項１の特徴記載部分の特徴を有する上述タイプの高周波プラグコネクタにより達成される。他の請求項には、本発明の好適な実施形態が記載される。
【０００７】
上述したタイプの高周波プラグコネクタにおいて、外側導体部品へのハウジングの組付けの際にハウジングのための第１軸方向保持要素がハウジングの第１所定区分を広げるように構成された第１軸方向保持要素を外側導体部品が包含するように、外側導体部品へのハウジングの組付けの際にハウジングのための第２軸方向保持要素がハウジングの第２所定区分を圧縮するように構成された第２軸方向保持要素を外側導体部品が有するように、本発明によって用意される。
【０００８】
これは、周囲温度に関係なく、そのためハウジングの寸法の温度依存変化に関係なく、外側導体部品からのハウジングの軸方向離脱を、外側導体部品のハウジング用軸方向保持要素が防止するという長所を持つ。
【０００９】
第１軸方向保持要素および／または第２軸方向保持要素が、ハウジングの貫通ボアに嵌合する外側導体部品の領域に設けられると好都合である。
【００１０】
好適な実施形態において、ハウジングの貫通ボアに嵌合する外側導体部品の領域に設けられた少なくとも一つの突出部を第１軸方向保持要素が有し、この突出部が周方向において少なくとも部分的に包囲状であり、突出部の領域における外側導体部品の外径が、第１所定区分の領域におけるハウジングの貫通ボアの内径よりも長い。
【００１１】
好適な実施形態において、第２軸方向保持要素は、ハウジングの貫通ボアに嵌合する外側導体部品の領域に設けられて、外側導体部品の外周面から径方向に延在する少なくとも一対のつめ状突出部を有し、一対のつめ状突出部は、周方向において相互に対向している。
【００１２】
対になったつめ状突出部と協働するため、ハウジングの内面から径方向内向きに突出して軸方向に延在する少なくとも一つのウェブを第２所定区分が有し、軸方向に対して垂直な方向におけるウェブの幅は、一対のつめ状突出部の離間距離より長い。
【００１３】
２個、３個、４個以上のウェブが設けられて周方向に相互に離間しているという点で、ハウジングは、外側導体部品に対して異なる相対的角度位置で外側導体部品に装着される。この目的のため、ウェブは、周方向において相互に等しく離間していることが好ましい。
【００１４】
二対以上のつめ状突出部が設けられ、特に、周方向において相互に等しく離間していると好都合である。
【００１５】
好適な実施形態において高周波プラグコネクタは、外側導体部品と内側導体部品とが相互に同軸に配設される高周波同軸プラグコネクタとして構成される。
【００１６】
５０‐Ω‐ＨＦＳＳｔについてのＦＡＫＲＡ標準化方式に適合する機械的寸法をインタフェース領域に有するようにハウジングが構成されると好都合である。
【００１７】
好適な実施形態では、第１軸方向保持要素および／または第２軸方向保持要素が外側導体部品と一体的に構成される。
【００１８】
外側導体部品は例えば、亜鉛ダイカストコンポーネントとして構成される。また、ハウジングは例えば、プラスチックハウジングである。
【００１９】
以下、図面を参照して、本発明をさらに詳細に説明する。
【図面の簡単な説明】
【００２０】
【図１】ハウジングが含まれない本発明による高周波プラグコネクタの好適な実施形態を斜視図で示す。
【図２】ハウジングが装着された図１の高周波プラグコネクタを別の斜視図で示す。
【図３】ハウジングが装着された図１の高周波プラグコネクタを断面図で示す。
【図４】ハウジングが含まれない図１の高周波プラグコネクタを上からの図で示す。
【図５】ハウジングが含まれない図１の高周波プラグコネクタを側面図で示す。
【図６】ハウジングが装着された図１の高周波プラグコネクタを別の断面図で示す。
【発明を実施するための形態】
【００２１】
図１から６に示された本発明による高周波プラグコネクタの好適な実施形態は、高周波同軸プラグコネクタとして構成され、外側導体部品１０と、外側導体部品１０の中に配設された内側導体部品１２と、相補的高周波プラグコネクタ（不図示）とのプラグ接続のために構成された係合側端部１４とを包含する。高周波プラグコネクタの係合側端部１４に配設されるのは、外側導体部品１０を少なくとも部分的に囲繞して電気絶縁材料で製作されるハウジング１６、例えばプラスチックハウジングである。このハウジング１６は、外側導体部品１０が嵌合する貫通ボア１８を有する。
【００２２】
ハウジング１６は、外側導体部品１０から、またはハウジング１６に嵌合する外側導体部品１０の領域３６からの離脱に対して軸方向に固定される。この目的のため、本発明によれば、相互に独立した二つの軸方向保持要素が設けられる。図の実施形態において両方の軸方向保持要素は、ハウジング１６の貫通ボア１８に嵌合する領域３６において外側導体部品１０の外周面に設けられる。ハウジング１６のための第１軸方向保持要素は、外側導体部品１０へのハウジングの組付けの際にハウジング１６の第１所定区分２２を保持要素が広げるように構成される。ハウジング１６のための第２軸方向保持要素は、外側導体部品１０へのハウジングの組付けの際にハウジング１６の第２所定区分２４を保持要素が圧縮するように構成される。
【００２３】
例として挙げられた本発明による高周波プラグコネクタの好適な実施形態に関連して特に図１，３，４，５に示されているように、ハウジング１６の貫通ボア１８に嵌合する外側導体部品１０の領域３６において両側に設けられた二つの突出部２０を第１軸方向保持要素が包含し、この突出部は周方向において少なくとも部分的に包囲状である。突出部２０の領域における外側導体部品１０の外径が第１所定区分２２の領域におけるハウジング１６の貫通ボア１８の内径より長くなるように、突出部２０は構成される。このようにして、ハウジング１６が第１所定区分２２の領域の所望の位置まで外側導体部品１０へ軸方向に押入される間に、ハウジング１６が径方向外向きに広げられる。ハウジング１６の径方向弾性拡張により結果的に生じる径方向内向きの力は、ハウジング１６を外側導体部品１０に確実に保持して、外側導体部品１０からの離脱に対してハウジング１６を固定する。
【００２４】
本発明による高周波プラグコネクタの典型的で好適な実施形態について特に図１，４，６に示されているように、第２軸方向保持要素は、外側導体部品の外周面から径方向に延在するつめ状突出部２６を包含する。二対のつめ状突出部２６は、ハウジング１６の貫通ボア１８に嵌合する外側導体部品１０の領域３６において、外側導体部品１０の両側に配設されている。一対のつめ状突出部２６は、周方向に見ると相互に対向しており、周方向において相互から離間距離２８を置いて配置されている。各つめ状突出部２６は、係合側端部１４と反対向きのフック状区分を有する。ハウジング１６の第２所定領域２４は、各々がハウジング１６の内面から径方向内向きに、軸方向に延在する４個のウェブ３０を包含する。ハウジングが外側導体部品１０へ軸方向に押入された時に２個のウェブ３０がそれぞれ２個のつめ状突出部２６の間に嵌合して各対のつめ状突出部２６がウェブ３０の一つと協働するように、ウェブ３０は周方向において相互に等しく離間している。軸方向に対して垂直な方向におけるウェブ３０の幅は、一対のつめ状突出部２６の離間距離２８より長い。この手段により、つめ状突出部２６はウェブ３０を圧縮する。つめ状突出部２６のフックは軸方向において係合側端部１４と反対向きであるので、つめ状突出部２６とそれぞれのウェブ３０との間に結果的に生じる力は、外側導体部品１０からの軸方向の離脱に対してハウジング１６を固定する。対になったつめ状突出部２６とウェブ３０との構成により、ハウジング１６は、外側導体部品１０に対して異なる角度位置で外側導体部品に軸方向に押圧される。同時に、こうしてハウジング１６は、外側導体部品１０に対する周方向のねじりに対しても固定される。
【００２５】
上昇温度での膨張によるハウジング１６の寸法の温度依存増加によって、第１所定区分２２におけるハウジング１６の内径が増加するので、ハウジング１６の第１所定区分２２と突出部２０との間の保持力が低下する。しかし、ハウジング１６の寸法の温度依存増加により、ウェブ３０の幅も増加するので、つめ状突出部２６とウェブ３０との間の保持力が同時に上昇する。そのため、第２軸方向保持要素２６とウェブ３０との協働により、外側導体部品１０からの軸方向の離脱に対するハウジング１６の充分な軸方向の固定が高温でも保証される。
【００２６】
低下温度での収縮によるハウジング１６の寸法の温度依存減少によってウェブ３０の幅も減少するので、つめ状突出部２６とウェブ３０との間の保持力が低下する。しかし、ハウジング１６の寸法の温度依存減少によって第１所定区分２２におけるハウジング１６の内径も縮小するので、ハウジング１６の第１所定区分２２と突出部２０との間の保持力が同時に上昇する。そのため、第１軸方向保持要素２０により、外側導体部品１０からの軸方向の離脱に対するハウジング１６の充分な軸方向固定が、低温でも保証される。
【００２７】
そのため全体として、軸方向保持要素２０，２２（膨張時）と２６，３０（収縮時）の対向作用によるハウジング１６の寸法の温度関連の変化によって、外側導体部品１０および／または領域３６でのハウジング１６の軸方向保持に関して、本発明による高周波プラグコネクタの機械的かつ機能的な信頼性が保証される温度範囲が広くなる。
【００２８】
ハウジング１６はＦＡＫＲＡハウジングとして構成され、他のハウジング１６とのプラグ接続のための機械的エンコーディング３２として、そしてプラグ接続時には二つのハウジング１６の機械的接続のためのロック機構３４として機能する突出部を外周面に有する。
【図１】
0005181061.tif 000002
【図２】
0005181061.tif 000003
【図３】
0005181061.tif 000004
【図４】
0005181061.tif 000005
【図５】
0005181061.tif 000006
【図６】
0005181061.tif 000007